(57)【要約】【課題】従来の画像記録装置の構成では、波打ち或いはプラスカールした状態の記録媒体をプラテンに吸着させるために強い吸引力を要し、そのために吸引ファンの増設等による装置の大型化及びコストアップにつながる。さらに記録媒体先端部の近傍にある画像記録部の周辺のエアー流が加速し、インクの記録媒体への着弾位置精度を悪化させ、画像品質を劣化させてしまう【解決手段】本発明は目的を達成するために、記録媒体２をプラテンに確実に吸着するために必要な画像記録部７の圧力Ｐ１とプラテン部１６の圧力Ｐ２の差圧が必要最小限になるように風量を制御し、記録媒体搬送方向の吸引を強くし記録媒体を密着させることでエアーフロー等による着弾ずれがなく、高画質で高信頼性のある画像を記録する画像記録装置を提供する。【選択図】      図１
2007076175.tif 000002
【特許請求の範囲】
【請求項１】
記録媒体に画像を記録する画像記録部と、
前記画像記録部と対向して設けられる複数の孔を介して形成される吸引エリアを吸引することにより前記記録媒体を固定する記録媒体固定部と、
を有し、
前記記録媒体を固定し、前記吸引エリア上を搬送する画像記録装置であって、
前記吸引エリアにおける負圧区域は、前記記録媒体の幅方向によって吸引面積が異なることを特徴とする画像記録装置。
【請求項２】
前記吸引エリアは、記録媒体搬送方向に従って広がる形状を含むことを特徴とする請求項１に記載の画像記録装置。
【請求項３】
前記吸引エリアの最小負圧区域が前記吸引エリアの先端部に設けられていることを特徴とする請求項１に記載の画像記録装置。
【請求項４】
前記吸引エリアの最大負圧区域が前記吸引エリアの中央部に設けられていることを特徴とする請求項１に記載の画像記録装置。
【請求項５】
前記画像記録装置は、
前記画像記録部近傍の第１のエリアと前記画像記録部近傍以外の第２のエリアを分離しているカバー部と、
前記画像記録部から前記記録媒体固定部への空気の流れを発生させるエアー流発生部と、
前記画像記録部と前記記録媒体固定部の間に前記吸引エリアと異なる少なくとも１つのエアー流路管と、
前記空気の流れを制御するエアー流制御部と、
を具備していることを特徴とする請求項１に記載の画像記録装置。
【請求項６】
前記エアー流制御部は、前記第１のエリア及び前記吸引エリアを略同一圧に保持することを特徴とする請求項５に記載の画像記録装置。
【請求項７】
前記画像記録装置は、
前記第１のエリア及び前記吸引エリア内の圧力検知を行う圧力検知器と、
前記第１のエリア及び前記吸引エリア内の圧力制御を行う圧力制御部と、
を具備し、
前記圧力検知器からの検知信号を受けた前記エアー流制御部が前記圧力制御部及び前記エアー流発生部を制御することで前記第１のエリア及び前記吸引エリアを略同一圧に保持することを特徴とする請求項６に記載の画像記録装置。
【請求項８】
前記吸引エリアは、複数の吸引室を有すると共に、前記吸引エリアは、記録媒体幅方向において前記複数の吸引室に仕切られていることを特徴とする請求項７に記載の画像記録装置。
【請求項９】
前記複数の吸引室は、前記記録媒体幅方向の中央部の吸引室が他の吸引室よりも大きな負圧を有していることを特徴とする請求項８に記載の画像記録装置。
【請求項１０】
前記記録媒体幅方向に並んだ前記中央部の吸引室及び他の吸引室は、前記エアー流制御部を介して接続されていることを特徴とする請求項９に記載の画像記録装置。
【請求項１１】
前記記録媒体幅方向に並んだ前記中央部の吸引室と他の吸引室は、同一の前記エアー流発生部によって吸引されていることを特徴とする請求項９に記載の画像記録装置。
【請求項１２】
前記記録媒体の記録媒体幅方向に並んだ前記中央部の吸引室の圧力が一定の値に達すると前記エアー流制御部を介してその他の吸引室のエアーが前記中央の吸引室に吸引されることを特徴とする請求項９に記載の画像記録装置。
【請求項１３】
前記エアー流制御部は、エアーダンパを有することを特徴とする請求項５に記載の画像記録装置。
【請求項１４】
前記エアーダンパには、前記エアーダンパの開閉を検知する検知手段が設けられることを特徴とする請求項１０に記載の画像記録装置。
【請求項１５】
前記検知手段からの前記エアーダンパの開閉情報と前記記録媒体の搬送の予測情報から想定される前記エアーダンパの開閉予測を比較し、ジャム検知をすることを特徴とする請求項１４に記載の画像記録装置。
【請求項１６】
記録媒体に画像を記録する画像記録部と、
前記記録媒体を吸引によって固定する記録媒体固定手段と、
前記記録媒体を吸引する前記記録媒体固定手段上の吸引エリアと、
を有し、
前記記録媒体を固定し、前記吸引エリア上を搬送する画像記録装置であって、
前記記録媒体の搬送に従い、記録媒体幅方向に吸引される幅が広がるエリアがあることを特徴とする画像記録装置。
【請求項１７】
記録媒体に画像を記録する画像記録部と、
前記記録媒体を吸引によって固定する記録媒体固定手段と、
前記記録媒体を吸引する前記記録媒体固定手段上の吸引エリアと、
を有し、
前記記録媒体を固定し、前記吸引エリア上を搬送する画像記録装置であって、
前記記録媒体の搬送に従い、記録媒体幅の中央部から吸引されることを特徴とする画像記録装置。
【発明の詳細な説明】
【技術分野】
【０００１】
本発明は、記録媒体に対して画像を記録する画像記録装置に関する。
【背景技術】
【０００２】
一般に、近年普及している、例えばインクジェットプリンタなどの画像記録装置は、例えば記録紙、ＯＨＰ用紙等の記録媒体を搬送する搬送部（ベルトプラテン）を有している。画像記録装置は、吸湿により記録媒体先端部で波打ちが発生したり、カールが発生している記録媒体に記録する。その際、記録媒体とプラテンが不均一に吸着することで、インクヘッドから吐出されるインクの飛翔距離がばらつき、記録むらが生じ、又は高さが不均一な記録媒体がインクジェットヘッドに接触して汚れてしまう不具合がある。更には、記録媒体とインクジェットヘッドの接触によってインクジェットヘッドを破損させてしまうこともある。
【０００３】
そこで、記録媒体とプラテンが確実に且つ安定して吸引吸着させることが可能で、記録媒体の詰まりや搬送性能への影響等が発生する虞がなく、高画質で記録を安定して行うことができる記録媒体搬送装置が特許文献１に開示されている。  
特許文献１に開示されている記録媒体搬送装置１６０の側面図を図１７に示す。第１減圧室１２１ａは、記録ヘッド２３１に対向し、吸引ユニットの最上流側に設けられ、負圧を高めるために記録媒体１００の端部を最初に吸着する吸引室１２３から延びる吸引孔１２４と連通するように形成される。第２減圧室１２１ｂは、その他の吸引室１２３から延びる吸引孔１２４と連通するように形成されている。第１減圧室１２１ａに作用する第１ポンプ１３２ａには、２基のファンがインク吐出方向に直列となるように配設され、第２減圧室１２１ｂに作用する第２ポンプ１３２ｂには、１基のファンが配設されている。  
直列に配設された２基のファンを有する第１ポンプ１３２ａは、２基のファンが並列に配設されたポンプと比べて流量は低下するが高い負圧を得ているため、記録媒体１００はプラテン搬送時に十分に吸引吸着される。
【０００４】
特許文献２に開示される画像記録装置には、図１８に示すように画像記録部１１１と対向する記録領域において少なくとも１つの開口が形成された補助部材１１３、記録領域の最も記録媒体搬送方向上流側近傍の部分を含む第１の領域１５３及び単位面積あたりの開口による総開口面積である開口率が第１の領域よりも小さく且つ記録媒体の搬送方向に関して第１の領域よりも下流側に配置された第２の領域１６２を設けている。  
第１の領域１５３よりも記録媒体１０２の搬送方向下流側に配置された第２の領域１６２の開口率が第１の領域１５３の開口率よりも小さい。よって記録媒体１０２の先端部近傍だけが第１の領域１５３内に形成された開口によって補助部材１１３上に吸着される場合において、第１の領域１５３内に形成された開口における負圧が極端に小さくなることを抑制している。そのため、記録媒体２の先端部近傍は、第１の領域内に形成された開口によって補助部材１１３上に確実に吸着する。さらに、補助部材１１３に対する記録媒体１０２の先端位置にかかわらず、記録媒体１０２を補助部材１１３に確実に吸着させつつ搬送することができる。
【０００５】
また、従来の画像記録装置を図１９及び図２０に示す。  
図１９（ａ）は、吸湿により記録媒体１２０の先端が波打ちを発生している状態で搬送された状態を示す。図１９（ｂ）は、記録媒体１２０をプラテン１４４に吸着させた状態を示す。  
図２０（ａ）は、中央部が浮いてプラスカールの状態になっている記録媒体２２０が搬送された状態を示す。図２０（ｂ）は、記録媒体幅方向の両端部でプラテン１４５と密着し、そのしわが記録媒体幅中央部に集中し、更にプラテン１４５から記録媒体２２０が持ち上がった状態を示す。
【０００６】
図１９では、プラテン１４４に搬送された記録媒体１２０は、波打ちの状態であるため吸着にばらつきが出てしまう。図示されていない吸引ファンによりをプラテンの穴１４６を通してプラテン１４４に吸着された記録媒体１２０は、図１９（ｂ）に示すように波打ちの谷部を吸着するのみで吸着にムラが出てしまう。  
また図２０では、プラテン１４５上でプラスカール状態になっている記録媒体２２０は、吸着させると記録媒体幅方向に両端部でプラテン１４５と密着する。他方、カールしたしわは記録媒体幅中央部に集中し、更にプラテン１４５から記録媒体２２０が持ち上がった状態を維持してしまう。
【特許文献１】特開２００４−０１８１５１号公報
【特許文献２】特開２００３−２１１７４９号公報
【発明の開示】
【発明が解決しようとする課題】
【０００７】
前述した特許文献１に記載の記録媒体搬送装置１６０は、プラテンに搬送された記録媒体１００の先端部の吸着性を良くするために、記録媒体突入部分のプラテンの吸着負圧を他のエリアよりも高くしている。  
しかし、プラテンに搬送された記録媒体１００は、記録媒体１００の吸湿によって発生する波打ちやプラスカールした状態であるため記録媒体幅方向の全長に対してプラテン上に接触した部分にのみに強い吸引力が働き密着する。波打ちやプラスカールになっている状態の記録媒体１００の長さは、波打ちやプラスカールになる前の直線距離と比較すると伸びている。接触部或いは、両端部がプラテンに固定されているため波打ちを無くし波打ちの山（凸）部をプラテンに密着させるためには、記録媒体１００の実質的な長さを直線距離の長さに圧縮する必要がある。しかし、記録媒体１００を強い吸引力で吸引する必要があるため、吸引ファンの増加による装置の大型化及びそれに伴う設備投資等のコストアップに繋がる。
【０００８】
また特許文献２に記載の画像記録装置は、記録媒体先端の中央部に対応するプラテン部の区域で、記録媒体幅の中央部のみ吸着孔１１５を大きくして、吸着力を向上させている。  
しかし、記録媒体１０２は記録媒体中央部の波打ちに対してプラテンの記録媒体幅方向の中央部に引きつけられているが、両端部でも記録媒体１０２は引きつけられている。よって記録媒体１０２とプラテンとの接触部分は、記録媒体１０２が水平方向に対して自由にならない。さらに吸引力の強い中央部は、波打ちをプラテンに吸着することができるが、吸着力の高い部分とそれ以外のエリアの境に波打ちが寄せ集められ記録媒体幅全体に吸着を確保することはできない。プラスカールの場合も同様に、記録媒体１０２は吸着力が弱くてもプラテンに接触している両端がまず固定されるため記録媒体幅全体に吸着を確保できない。  
さらに従来の画像記録装置は、波打ち及びプラスカールの場合、吸着力が弱くてもプラテン１４４，１４５に接触している部分がまず固定されるので、吸着は確実には行われない。
【０００９】
そこで、記録媒体の先端が記録媒体幅方向に対して徐々にプラテンに吸着できるように吸着されていないエリアでは、記録媒体をプラテン１４４，１４５に水平方向にたいして、固定させない必要がある。
【００１０】
そこで本発明では、弱い吸着負圧でも記録媒体をプラテンに密着させることで着弾ずれがなく、高画質で高信頼性のある画像記録装置を提供することを目的とする。
【課題を解決するための手段】
【００１１】
本発明は、目的を達成するため記録媒体に画像を記録する画像記録部と、画像記録部と対向して設けられる複数の孔を介して形成される吸引エリアを吸引することにより記録媒体を固定する記録媒体固定部と、を有し、記録媒体を固定し、吸引エリア上を搬送する画像記録装置であって、吸引エリアにおける負圧区域は、記録媒体の幅方向によって吸引面積が異なることを特徴とする画像記録装置と、記録媒体に画像を記録する画像記録部と、記録媒体を吸引によって固定する記録媒体固定手段と、記録媒体を吸引する記録媒体固定手段上の吸引エリアと、を有し、記録媒体を固定し、吸引エリア上を搬送する画像記録装置であって、記録媒体の搬送に従い、記録媒体幅方向に吸引される幅が広がるエリアがあることを特徴とする画像記録装置と、記録媒体に画像を記録する画像記録部と、記録媒体を吸引によって固定する記録媒体固定手段と、記録媒体を吸引する記録媒体固定手段上の吸引エリアと、を有し、記録媒体を固定し、吸引エリア上を搬送する画像記録装置であって、記録媒体の搬送に従い、記録媒体幅の中央部から吸引されることを特徴とする画像記録装置を提供する。
【発明の効果】
【００１２】
本発明によれば、弱い吸着負圧でも記録媒体をプラテンに密着させることで着弾ずれがなく、高画質で高信頼性のある画像記録装置を提供することができる。
【発明を実施するための最良の形態】
【００１３】
以下、図面を参照して本発明の実施形態について詳細に説明する。  
図１、図２及び図３を参照して第１の実施形態について説明する。図１は、本実施形態における画像記録装置の内部構成を示す概略的な側面図である。図２は、図１に示す画像記録装置において、記録媒体がプラテンを遮蔽する状態を示す図である。図３は、プラテン部を上部から見た際のベルトとプラテンの関係を示す概略図である。  
以下の各実施形態の説明において、図中、記録媒体の搬送方向をＸ軸方向、又は副走査方向とし、この搬送方向と直交する方向をＹ軸方向、又は主走査方向、又は記録媒体の幅方向としている。Ｘ軸及びＹ軸方向に直行する方向をＺ軸方向、又は上下方向とする。  
また文中の断面とはＹ−Ｚ平面に平行な切断面であり、断面Ａ、断面Ｂ及び断面Ｃは搬送方向に沿って配置されている。
【００１４】
第１の実施形態に係る画像記録装置１は、記録装置本体３、記録装置本体３を覆う装置カバー部４、給紙部５、搬送部（ベルトプラテン）６、画像記録部７、塵挨防止部８及び排出部９を設けている。  
記録装置本体３は、給紙部５、ベルトプラテン６及び画像記録部７を図示しないフレームにより保持する。なお、本実施形態は、給紙部５の一部が装置カバー部４の外に配置されているが、給紙部５全体を装置カバー部４内に配置することも可能である。さらにカバー部２７は、吐出されたインクが記録媒体２に着弾するまでのインク経路を含む画像記録部７の近傍エリアと、そのインク経路を含まない画像記録部７の近傍以外のエリアを分離している。
【００１５】
給紙部５は、給紙トレイ１０、ピックアップローラ１１、レジストレーションローラ対１２及びバックアップローラ対１３を備えている。給紙トレイ１０は、所定の長さに裁断された記録媒体２を収容する。ピックアップローラ１１及びレジストレーションローラ対１２は、記録媒体２を搬送するための搬送用駆動手段である。  
さらに、記録媒体２の搬送向きに対するズレ補正を行う機能を有している。ピックアップローラ１１の下流側に配置されたレジストレーションローラ対１２の方向は長手方向中心軸がＹ軸方向に延在するように配置されている。  
レジストレーションローラ対１２は、ピックアップローラ１１から搬送された記録媒体２をバックアップローラ対１３を介してベルトプラテン６に搬送する構成である。  
バックアップローラ対１３は、レジストレーションローラ対１２と協働して、記録媒体２の搬送向きに対する斜行のズレ補正を行う機能も有している。給紙部５は、給紙トレイ１０からベルトプラテン６までの間に、図示しない搬送路を有している。ピックアップローラ１１並びにレジストレーションローラ対１２は、記録媒体２を搬送路に沿って搬送する。  
なお、給紙部５において、ピックアップローラ１１並びにレジストレーションローラ対１２は、図示しないモータ等からなる動力源にクラッチを介して接離可能に接続されている。
【００１６】
記録媒体２を搬送する搬送手段であるベルトプラテン６は、たとえば３つのプラテンローラ１４と、プラテンローラ１４に掛け渡された無端ベルトであるベルト１５と、プラテンローラ１４に挟まれて配置されたプラテン部１６により構成されている。また、記録媒体２の搬送方向において、プラテン部１６の上流側には、前述したバックアップローラ対１３を設けている。バックアップローラ対１３は、上流側のプラテンローラ１４と、プラテンローラ１４に対向するように配置される従動ローラからなるバックアップローラ１８とで構成される。よって記録媒体２は、レジストレーションローラ対１２及びバックアップローラ対１３を経てベルトプラテン６に搬送される。
【００１７】
ベルトプラテン６は、給紙部５から搬送された記録媒体２を吸着し、インクジェットヘッド２６のノズルと対向するように所定の搬送方向に沿って下流方向に搬送する。ベルト１５上には多数の小径からなるベルトの孔２５を有し、さらにベルト１５の搬送速度は、レジストレーションローラ対１２の搬送速度より遅く設定されている。  
プラテン部１６内は、記録媒体搬送面に配置された多数の開口した孔１９、プラテン２０、プラテンファン２１、プラテン部１６内の圧力測定及び圧力制御のためのプラテン部圧力センサー２２及びバイパス３７が設けられている。  
プラテンファン２１は、ベルト１５上に設けられた開口した多数のベルトの孔２５及びプラテン部１６の記録媒体搬送面に対して配置されたプラテンの孔１９を通じて吸引する。給紙部５から搬送された記録媒体２は、ベルト１５上に吸着されつつ、ベルト１５の移動に伴い搬送される。  
図３に示すようにプラテン上のプラテンの孔１９は、記録媒体２が断面Ａ、断面Ｂ及び断面Ｃと下流に搬送されるに従って記録媒体幅中央部分から記録媒体幅方向に沿ってプラテンの孔１９が徐々に増える様に配置されており、吸引エリアが下流方向に行くにつれて記録媒体幅中央部から記録媒体幅方向に沿って広がっている。
【００１８】
ベルトプラテン６と対向するように配置されている画像記録部７は、例えば、ブラック（Ｋ）、シアン（Ｃ）、マゼンタ（Ｍ）、イエロー（Ｙ）等の４色のインクにより対応可能な複数のノズルを用いてインクを吐出させて画像記録を行うインクジェットヘッド２６を設けている。これらのインクを吐出する複数のノズルは等間隔に列状に配列されノズル列を構成している。各インクジェットヘッド２６は搬送方向に重なるように配置され、重力方向（垂直下方向）ヘインクを吐出するようにノズル吐出口が設けられている。各ノズル列は、主走査方向に沿って、記録媒体２の幅全体に渡って画像記録を行うように、長さが設定されている。インクジェットヘッド２６は、シリアルヘッド（固定ヘッド）タイプの記録ヘッドである。
【００１９】
画像記録部７には、装置内に侵入した大気中のダストや記録媒体２と各搬送ローラとの当接から発生する紙粉等からなる粉塵による画像記録の劣化を防止し、高精度の画像記録を行うため、画像記録部７の周辺の空間を囲うカバー部２７は、吐出されたインクが記録媒体に着弾するまでのインク経路を含む画像記録部７の近傍エリアと、そのインク経路を含まない画像記録部７の近傍以外のエリアを分離している。カバー部２７は、画像記録部７の圧力測定及び圧力制御のための画像記録部圧力センサー２４及びバイパス３７を設けている。
【００２０】
塵挨防止部８は、吸引ファン２８、吸引フィルタ２９、及び排気ファン３０，３１を備えている。  
吸引ファン２８は、外部から画像記録装置１内にエアーを取り込むための吸引装置である。吸引ファン２８は、吸引フィルタ２９を前方に配置して画像記録装置１内にクリーンエアーを流入させる。
【００２１】
画像記録部７は、プラテン部１６に対向する面と吸引ファン２８以外は略密閉されたカバー部２７により囲われているため、吸引ファン２８により吸引されたクリーンエアーはインクジェットヘッド２６へ送風される。  
また、バックアップローラ対１３の下流側上方には、仕切り板３２が設けられている。一方、プラテンローラ１４の上流側下方に仕切り板３３が設けられている。
【００２２】
さらに仕切り板３２及び仕切り板３３は、エアーフローを仕切る機能を有しているため、記録媒体搬送能力を低下させることなく、簡便に給紙部５からインクジェットヘッド２６へ流れる紙粉を減少するように作用する。
【００２３】
排気ファン３０は、給紙部５において記録媒体２とピックアップローラ１１やバックアップローラ対１３が当接した際に発生した紙粉や、給紙トレイ１０から給紙された記録媒体２に付着して取り込まれた大気中のダストを排出する。
【００２４】
さらに仕切り板３２、仕切り板３３及びカバー部２７により仕切られているため、吸引ファン２８から取り込まれたクリーンエアーに給紙部５で発生した紙粉や記録媒体２に付着して取り込まれた大気中のダストが混じることはない。
【００２５】
ベルトプラテン６下方に設けられた排気ファン３１は、ベルトプラテン６の下部に流れ込んだ一部のエアーを画像記録装置１外部に排気する。
【００２６】
画像記録部７及びプラテン部１６を繋ぐバイパス３７は、経路中に中間エアーダンパ２３を有している。  
エアー流制御部３４は、ファンコントローラ３５及びダンパコントローラ３６を備えている。エアー流制御部３４は、電気的に画像記録部圧力センサー２４及びプラテン部圧力センサー２２と接続する。画像記録部圧力センサー２４は、画像記録部７の圧力情報をエアー流制御部３４に、プラテン部圧力センサー２２は、プラテン部１６の圧力情報をエアー流制御部３４に、それぞれの情報信号を用いて伝達する構成を備える。ファンコントローラ３５は、吸引ファン２８及びプラテンファン２１の風量を任意に変更する。ダンパコントローラ３６は、中間エアーダンパ２３の開閉を制御する。  
エアー流制御部３４は、画像記録部圧力センサー２４及びプラテン部圧力センサー２２から伝達される画像記録部７及びプラテン部１６の圧力情報に基づき、画像記録部７の圧力Ｐ１がプラテン部１６の圧力Ｐ２より高くなるようにファンコントローラ３５へ指示を行い、この指示に基づき吸引ファン２８及びプラテンファン２１のそれぞれの風量が制御される。さらに、エアー流制御部３４は、ダンパコントローラ３６に指示を与えて、中間エアーダンパ２３の駆動制御を行っている。
【００２７】
図１、図２、図３、図４、及び図５を参照して画像記録装置における記録媒体２の搬送及びエアーによる吸着方法について詳細に説明する。  
図４は吸湿した状態の記録媒体がプラテン部に吸着・搬送された状態を示す図である。図５はプラスカールした状態の記録媒体がプラテン部に吸着・搬送された状態を示す図である。  
給紙トレイ１０に収容された記録媒体２は、駆動したピックアップローラ１１によって取り出される。取り出された記録媒体２は、図示しない搬送路に沿ってレジストレーションローラ対１２に向けて搬送される。この記録媒体２の先端が、搬送方向下流側においてレジストレーションローラ対１２に到達した際、レジストレーションローラ対１２と記録媒体２との向きのズレを補正するための調整が行われる。なお、記録媒体２は、矩形形状のカットシート状であり、長手方向に中心軸を有しているものとする。また、記録媒体２の先端は、長手方向と直交する幅方向に沿って延びているものとする。
【００２８】
記録媒体２は、レジストレーションローラ対１２に到達するまでに、ピックアップローラ１１の取り出し状態や摩擦等の種々の要因により記録媒体２先端の向きがレジストレーションローラ対１２の長手方向に対して、傾斜した状態（斜行）が発生する。この斜行状態の記録媒体の画像記録領域とインクジェットヘッド２６による画像記録領域との間にズレが生じる。つまり、記録媒体２に記録される画像のはみ出しが発生する。
【００２９】
そこでズレ補正のために、停止状態のレジストレーションローラ対１２に記録媒体２を当接させ、さらに所定時間、ピックアップローラ１１が記録媒体２を送り込む。この記録媒体２は、記録媒体搬送路から中央側に浮き上がりループ状に湾曲する。湾曲した記録媒体２は、ピックアップローラ１１からの搬送力及び記録媒体２の復元力により、記録媒体２の端部がレジストレーションローラ対１２に適合するようにレジストレーションローラ対１２に押しつけられる。そして、記録媒体２の先端は、レジストレーションローラ対１２の長手方向全体に渡って接触する。この結果、記録媒体２の搬送幅方向は、レジストレーションローラ対１２の長手方向と一致し、記録媒体２の長手方向中心軸が、記録媒体２の搬送方向と一致し、ズレが補正される。
【００３０】
このズレ補正後、レジストレーションローラ対１２は、駆動を開始し、記録媒体２をベルトプラテン６に向かって搬送する。記録媒体２の先端がレジストレーションローラ対１２からバックアップローラ対１３に到達した際にも、前述した浮き上がりによる記録媒体２のズレ補正が行われる。
【００３１】
記録媒体２が各搬送ローラに当接して発生する紙粉は、排気ファン３０により画像記録装置１外部に排出される。この際、仕切り板３２，３３は、紙粉が搬送方向に流れ込むことを防止する。なお、プラテンファン２１は、記録媒体２がバックアップローラ対１３に到達する前のタイミングに駆動を開始し、且つプラテンローラ１４が駆動を開始する。
【００３２】
記録媒体２がバックアップローラ対１３に到達する前のタイミングに駆動したプラテンファン２１はベルト１５上の多数の小径からなるベルトの孔２５及びプラテン２０を通じてエアー吸引を行い、ベルト１５上に負圧を発生させる。
【００３３】
プラテンファン２１によるエアー吸引は、カバー部２７によって略密閉されている画像記録部７からベルト１５上の多数の小径からなるベルトの孔２５及びプラテン２０を通じてベルトプラテン６に流入するエアー流量を増加させる。
【００３４】
これにより画像記録部７内の圧力Ｐ１が減少する。圧力減少を防止するため、画像記録部圧力センサー２４によって伝達された画像記録部７内の圧力情報に基づきエアー流制御部３４がファンコントローラ３５へ指示を行い、吸引ファン２８の風量が増加される。画像記録部７内に流入するエアーの増加は、画像記録部７内の圧力を上昇させ略同一圧に保持する。
【００３５】
次に吸湿した記録媒体２のプラテン２０上での吸着方法について図４を参照して詳細に説明する。図４（a）は断面Ａにおける記録媒体２の搬送直後の様子を示す。断面Ａの位置では、プラテン２０の中央部分にのみプラテンの孔１９が存在し、図４（ｂ）に示すように記録媒体２の先端の中央部分のみがプラテン２０に吸着されている。このとき、記録媒体２の中央部分以外は、吸着されておらずベルト１５上に載せられているだけである。従って記録媒体２の中央部がプラテンファン２１により吸着し、中央部以外の接触部が記録媒体幅方向に自由に移動する。更に図４（ｃ）に示すように断面Ｂに搬送された記録媒体２は、断面Ｂでは記録媒体幅方向にプラテンの孔１９の数量が増えているため、吸引エリアが中央より広がり、中央部より徐々に記録媒体２のしわを伸ばしながらプラテン２０に吸着し徐々にプラテン部１６を遮蔽する。更に図４（ｄ）に示すように記録媒体２の先端が断面Ｃに到達するとプラテンの孔１９は、全記録媒体幅に配置されており、図４（ｃ）ではプラテン２０に吸着されていなかった記録媒体２の両端もプラテン２０に吸着し遮蔽する。
【００３６】
また、プラスカールした状態の記録媒体２のプラテン２０上での吸着方法について図５を参照し説明する。  
プラテン２０上でプラスカールした記録媒体２の吸着方法は、吸湿した記録媒体２のときと同様に下流方向に搬送されるにつれて図５（ａ）、（ｂ）、（ｃ）及び（ｄ）に示すように中央部から記録媒体搬送幅方向に徐々に広がって吸着されていく。  
プラテン２０の一部を遮蔽した記録媒体２は、画像記録部７からプラテン２０を通過してプラテン部１６に流れ込むエアー流量を減少させる。このエアー流量の減少によりプラテン部１６の圧力Ｐ２は記録媒体２が遮断する前に比べて減少する。  
一方、画像記録部７は、吸引ファン２８からエアーを取り込み、且つ流出するエアーは、記録媒体２によって遮断されているため画像記録部７の圧力Ｐ１は上昇する。これにより、画像記録部７の圧力Ｐ１とプラテン部１６の圧力Ｐ２の圧力差は大きくなる。その際、画像記録部７の圧力Ｐ１の圧力情報及びプラテン部１６の圧力Ｐ２の圧力情報は、画像記録部圧力センサー２４及びプラテン部圧力センサー２２を通じてエアー流制御部３４に伝達される。
【００３７】
エアー流制御部３４は、ファンコントローラ３５によって吸引ファン２８及びプラテンファン２１の風量を記録媒体２がプラテン部１６に吸着するのに必要な圧力で、且つ記録媒体２がプラテン部１６を遮断する前の適正な差圧、例えば略同一圧に保つように制御する。
【００３８】
さらに、図２に示すように記録媒体２がプラテンの孔１９を完全に遮蔽するように搬送されると吸引ファン２８により流入したエアーが画像記録部７に溜まり画像記録部７の圧力Ｐ１は急激に上昇する。  
また、プラテン部１６の圧力Ｐ２は記録媒体２がプラテン２０を完全に遮蔽しエアーが流入されないため急激に減少する。
【００３９】
よって、エアー流制御部３４は、記録媒体２がプラテンの孔１９が完全に遮蔽されることで発生する急激な圧力の変動に対応して、ダンパコントローラ３６に指示して、中間エアーダンパ２３を開放させる。
【００４０】
開放した中間エアーダンパ２３において、バイパス３７を通じてエアーを画像記録部７からプラテン部１６へ送り込むことで急激な圧力の変動が緩和するように制御される。
【００４１】
記録媒体２がプラテン２０のベルト１５上を排紙部９方向へ搬送されるに従い、記録媒体２の後端が通り過ぎ、開放されたプラテンの孔１９が現れ、記録媒体２による完全遮蔽が解除される。これにより中間エアーダンパ２３がエアー流制御部３４のダンパコントローラ３６によって閉口され、画像記録部７の圧力低下或いは、プラテン部１６の圧力低下を防止する。
【００４２】
記録媒体２が排出部９に搬送されるに伴い、記録媒体２により遮蔽される面積が減少し、吸引ファン２８とプラテンファン２１はエアー流制御部３４のファンコントローラ３５により多くエアー流量を流入させ、画像記録部７の圧力低下或いは、プラテン部１６の圧力低下を防止する。  
その後、記録媒体２の排出部９への排出に伴い、プラテンファン２１は停止し、それに伴って吸引ファン２８のエアー流量も減少する。
【００４３】
本実施形態における画像記録装置１は、画像記録部７の圧力Ｐ１とプラテン部１６の圧力Ｐ２の差圧が必要最小限になるように画像記録部７の圧力Ｐ１とプラテン部１６の圧力Ｐ２の圧力情報により、吸引ファン２８及びプラテンファン２１のエアー流量を制御する。
【００４４】
さらに、バイパス３７に設けられた中間エアーダンパ２３が、適正な差圧になるように必要に応じて開口し、バイパス３７を通じてエアーを送り込み高速で搬送される記録媒体２によって変動する画像記録部の圧力Ｐ１とプラテン部１６の圧力Ｐ２の圧力を適正に制御する。  
バイパス３７に組み込まれている制御された中間エアーダンパ２３は、画像記録部７とプラテン部１６の圧力差をより迅速に必要最小限の値に制御することができる。  
また、発生した差圧はベルトプラテン６側から画像記録部７に紙粉やその他の浮遊したコンタミが逆流することを防止し、記録媒体２をベルトプラテン６に確実に吸着し、且つインクジェットヘッド２６周辺のエアーの風速を最低限に維持することができる。また、略同一圧に保たれた圧力は、画像記録部７を囲うカバー部２７の外から大気中のダストといった塵挨が画像記録部７に進入することを防止する。よって、インクジェットヘッドから吐出したインク滴の着弾精度を悪化させることがなく画像の劣化を防止できる。又、常に必要最小限のエアー流量を画像記録部７に送り込んでいるため、吸引フィルタ２９の寿命を長くすることができる。
【００４５】
プラテン部１６に設けたプラテン２０上のプラテンの孔１９は、断面Ａ、断面Ｂ及び断面Ｃと下流に搬送されるに従って記録媒体幅方向中央部分から記録媒体幅方向にプラテンの孔１９が増える様に配置されており、実質的に吸引エリアが下流方向に流れるにつれて中央から記録媒体幅方向に広がっている。吸湿等により波打ち、またはプラスカールした記録媒体２を記録媒体幅中央部から幅方向に向けて吸着し、且つ記録媒体２の先端の中央部分のみがプラテン２０に吸着されているので、記録媒体幅中央部以外の接触部分は搬送幅方向に自由に移動ができるためにしわを伸ばすようにプラテン２０に吸着できる。さらに強力な負圧を搬送された記録媒体２の先端部に及ぼす必要が無いため、インクジェットヘッド２６から吐出したインク滴からの着弾ズレが少なく高品質で高品質な画像の記録ができる。
【００４６】
本発明の第１の実施形態では、画像記録部７及びプラテン部１６の画像記録部圧力センサー２４及びプラテン部圧力センサー２２の圧力情報に基づいてエアー流制御部３４が、吸引ファン２８、プラテンファン２１、中間エアーダンパ２３を制御している。しかしそれに限定されることなく、記録媒体２の種類、大きさ、搬送速度、ペーパーギャップ情報を記録媒体２が搬送される前に本装置に入力することで、差圧を制御することも可能である。
【００４７】
本実施形態では、搬送時に波打ち及びプラスカールした記録媒体を例にとり説明しているが、この２つの状態の記録媒体に限定する必要はない。
【００４８】
さらに本実施形態は、プラテン部１６の内部は１つの吸引室になっているが、図６で示すように吸引室を複数に区切り、各部屋ごとにプラテンファン２１を設ける変形例を用いても良い。  
本変形例は、最上流の部屋であるプラテン部室４２が下流方向に設けられたプラテン部室４３及び４４よりもプラテンファン４１が多く設けられているために負圧を高く設定でき、搬送された記録媒体２を確実に吸着する構成である。
【００４９】
次に、図７を参照して本発明に係る第２の実施形態について詳細に説明する。  
図７は、プラテン部１６を上部から見た際のベルト１５とプラテン２０の関係を示す概略図である。  
また、本実施形態の構成部位について、プラテン部１６以外の構成は、第１の実施形態と同等であり且つ前述した第１の実施形態と同等の部位には同じ参照符号を付してその詳細な説明は省略する。プラテン部１６以外の動作は、第１の実施形態と同等なので省略する。  
本実施形態は、記録媒体２が断面Ａ、断面Ｂ及び断面Ｃと下流方向に搬送されるに従って記録媒体幅の端部から記録媒体幅方向にプラテン上のプラテンの孔１９が、徐々に増えるように配置されており、吸引エリアが下流に流れるにつれて記録媒体幅の端部から記録媒体幅全体方向に広がっている構成である。  
プラテン２０上での記録媒体２の吸着方法は、吸着の始まりが端部であること以外は、図４及び図５と同等である。  
本実施形態は、プラテン２０から一部分が浮いた記録媒体２をプラテン２０に吸着させる場合、記録媒体２がプラテン２０にまさに吸着される領域で風量が必要になる。よって記録媒体端部からプラテン端部へまさに吸着しようとしているエリアが一カ所のみであるため、プラテンファン２１によって発生する風量を１カ所に集中できるため、より確実に記録媒体２をプラテン２０に吸着することができる。
【００５０】
次に、図８及び図９を参照して本発明に係る第３の実施形態について詳細に説明する。  
図８は、プラテン部１６を上部から見た際のベルト１５とプラテン２０の関係を示す概略図である。  
図９は、プラテン部１６の内部仕切りの構成図である。  
また、本実施形態の構成部位について、プラテン部１６部以外の構成は、第１の実施形態と同等であり且つ前述した第１の実施形態と同等の部位には同じ参照符号を付してその詳細な説明は省略する。プラテン部１６以外の動作は、第１の実施形態と同等なので省略する。
【００５１】
本実施形態の構成においてプラテン上のプラテンの孔１９は、プラテン２０の全面に均一に設けられている。また、プラテン部１６は、プラテン部室４６，４７，４８，４９及び５０に仕切りを設けている。プラテン部室４７は、Ｖ字状に搬送方向に広がる形状で、プラテンファン４５が設けられている。プラテン部室４７は、プラテンファン４５によってプラテン２０の上でＶ字状に狭い範囲で大きな負圧が発生する様に設定されている。
【００５２】
Ｖ字状の負圧のエリアが、記録媒体２を中央部より両端へ向かい強力な負圧を発生させることで記録媒体２の中央部よりしわを伸ばす様にプラテン２０に確実に吸着することができる。プラテン２０から浮いた記録媒体２をプラテン２０に吸着させる際、記録媒体２がプラテン２０にまさに吸着しようとする領域で風量が必要である。吸着しようとしている狭いエリアが徐々に記録媒体幅両端方向に広がる様にプラテン部１６を仕切っており、更に他の吸引室より負圧が高く設定されているため、ほぼ確実に記録媒体２をプラテン２０に吸着することができる。
【００５３】
次に、図１０、図１１、図１２、図１３及び図１４を参照して本発明に係る第４の実施形態について詳細に説明する。  
図１０は、プラテン部１６を上部から見た際のベルト１５とプラテン２０の関係を示す概略図である。  
図１１は、プラテン部１６の内部仕切りの構成図である。  
また、本実施形態の構成部位について、プラテン部１６部以外の構成は、第１の実施形態と同等且つ前述した第１の実施形態と同等の部位には同じ参照符号を付してその詳細な説明は省略する。さらにプラテン部１６以外の動作は、第１実施形態と同等なので省略する。  
本実施形態の構成は、図１０に示すように記録媒体２がプラテン２０上で搬送される際、プラテン２０の上流部である断面Ａの位置且つ記録媒体幅方向の中央部に複数のベルトの孔２５を配置している。更に記録媒体２がプラテン２０上を搬送方向に搬送され断面Ａより下流方向の記録媒体幅全面にプラテンの孔１９が配置されている。断面Ｂ及び断面Ｃにも同様に記録媒体幅全面にプラテンの孔１９が配置されている。  
次に図１１を参照してプラテン部１６の内部を詳細に説明する。プラテン部１６は、記録媒体２の搬送方向にプラテン部室５１，５２，５３に分割されている。プラテン部室５１は、記録媒体幅方向に対して中央及び両端の３つの吸引室に分けられており、エアーダンパ５４が搬送幅方向の中央と両端の吸引室の境に設けられている。エアーダンパ５４は、中央の吸引室の負圧がある一定以上に大きくなると開放し、両端の吸引室から中央の吸引室にエアーが流れ込むように設定されている。エアーダンパ５４は、エアーダンパ５４の開閉情報検知するプラテンダンパセンサー５７を設けている。  
プラテン部室５２及びプラテン部室５３もプラテン部室５１と同様に構成されている。
【００５４】
次に本実施形態における記録媒体２のプラテン２０上での吸着・搬送方法に関して図１２を参照して詳細に説明する。  
図１２（a）は、吸湿により波打ちした記録媒体２の先端部分が、プラテン２０に搬送された直後の断面Ａの状態を示す。断面Ａの位置は、中央と両端の３つの吸引室がエアーダンパ５４によって遮蔽され、且つプラテンの孔１９は、中央部にしか配置されていないため記録媒体２の中央部分のみが図１２（ｂ）のようにプラテン２０に吸着される。記録媒体２の中央部分以外は、吸着されていないためベルト１５上に載せられているだけである。中央部以外の接触部が記録媒体幅方向に自由に移動することができるため、しわを伸ばす様に中央部を容易にプラテン２０に吸着することができる。
【００５５】
記録媒体２が下流方向に搬送されるにつれて記録媒体２の中央部分が、プラテンファン５０を経由してプラテン２０に吸着されるとエアーの流入が無くなるため中央の部屋の負圧が上昇する。この際、断面Ｂでは図１２（ｃ）に示すように両端の吸引室と中央の吸引室の間を遮蔽しているエアーダンパ５４が開放され、両端の吸引室にも負圧がかかり始める。断面Ｃでは図１２（ｄ）に示すようにプラテン２０に吸着されていなかった記録媒体２の両端もプラテン２０に吸着する。
【００５６】
図１３はプラスカールした記録媒体２の吸着・搬送方法を示す。図５（ａ）、（ｂ）、（ｃ）及び（ｄ）に示すように吸着及び搬送時における吸着方法及びエアーダンパ５４の開放タイミングは上述した吸湿により波打ちした状態の記録媒体２と同様である。
【００５７】
プラテンダンパセンサー５７は、波打ちやプラスカール等により変形の激しい記録媒体２の先端が断面Ｂに搬送され、記録媒体２の中央部がプラテン２０に吸着されないことを防止するために設けられている。プラテンダンパセンサー５７はプラテン部室５１の負圧がエアーダンパ５４を開放する必要圧力が働くように制御する。エアーダンパ５４の開閉を検知するプラテンダンパセンサー５７は、異常を検知した際、ベルト１５の走行を停止させる。これにより異常に変形した記録媒体２はプラテン２０に近接して設けられているインクジェットヘッド２６との衝突を避ける。また、プラテン２０上に搬送方向に設けられている溝を経由してエアーは、常にプラテン部１６に流れ込むため、エアーダンパ５４、５５及び５６は完全に閉鎖することはない。
【００５８】
各部屋に設けられたプラテンダンパセンサー５７は、常に記録媒体２の中央部より確実にプラテン２０に吸着させ、又走行中の異常に関しても迅速に検知することができる。
【００５９】
本実施形態に用いたプラテンダンパセンサー５７の検知情報は、エアーダンパ５４、５５及び５６の開閉情報のみである。しかし、それに限らずエアーダンパ５４、５５及び５６がどの程度開閉しているかを検知できるセンサーを使用すれば、記録媒体２のプラテン２０上の走行情報より詳細且つ連続的に把握することができる。  
一般的には記録媒体２の走行をチェックする方法は、ある地点を通過したかどうかを検知する光学センサーやメカニカルセンサーを設ける方法がある。  
記録媒体２の走行状態を詳細に検知するには、多くのセンサーを配置する必要がある。例えば、センサーがインクジェットヘッド２６Ｋとインクジェットヘッド２６Ｍの位置のみに設けた際、記録媒体２の走行チェックはインクジェットヘッド２６Ｃの位置でジャムが発生しても記録媒体先端がインクジェットヘッド２６Ｍに達するまで待たなければならない。よって例え記録媒体２の先端がインクジェットヘッド２６Ｃでジャムを起こしていてもセンサーが検知するまでベルト１５を搬送し続けるために、インクジェットヘッド２６Ｃは大きなダメージを受けてしまう結果となる。
【００６０】
そこで記録媒体２の走行に合わせて変化するエアーダンパの開放量を把握できれば、常に記録媒体２の走行を監視でき、ジャム等による装置の破損を極力少なくすることができる。又、プラテン部１６を中央部と両端部の吸引室を仕切り、ダンパーを設けることで、常に中央の負圧を保つことができる。例えば、記録媒体幅方向に仕切りが無い場合、記録媒体幅の狭い記録媒体２が通過するとプラテン２０の開放部が大きくなり、プラテン部１６の内部の負圧を十分に大きくすることができない。そのため更にファンの数量を増やす必要があり、装置のコストアップに繋がる。更に風量をアップした状態で、記録媒体幅の広い記録媒体２を搬送すると僅かなプラテン２０の開放部より、大量のエアーが流れ、インクジェットヘッド２６近傍のエアー流を乱し、着弾精度を悪くする結果を招く。図示はされていないが、更にプラテン部１６の外壁にもダンパーを設け、プラテン部１６内部の負圧が異常に大きくならないように制御することも可能である。
【００６１】
また本実施形態の変形例として図１４に示すように更に記録媒体幅方向に仕切りを多く設けることで記録媒体幅の異なる多様な記録媒体２をプラテン２０への吸着をより確実なものにすることができる。  
プラテン２０に搬送された波打ち或いは、プラスカールした記録媒体２の記録媒体幅方向で中央部にのみ負圧を作用させ、記録媒体幅中央部をプラテン２０に密着させる。その際、記録媒体幅の中央部以外では、吸引力が作用していないので、中央部分の波打ち（凸部）をプラテン２０に引きつける際は記録媒体幅方向に記録媒体２のしわを伸ばすことができる。これにより強い負圧を記録媒体２の先端に作用させる必要が無い。
【００６２】
本変形例は、徐々に負圧を作用させるエリアを記録媒体幅の中央から両端に拡大させることによって、記録媒体２のしわ（波打ち）を延ばしながら記録媒体２の中央部から記録媒体幅方向に徐々にプラテンに記録媒体を吸着させることにより、弱い吸着負圧でも記録媒体２をプラテン２０に密着することができる。又、エアーダンパ５４、５５及び５６の開閉情報を検知することによって、記録媒体２がプラテン２０に吸着しているかどうかを確認し、インクジェットヘッド２６との衝突を避けることができる。又、記録媒体中央部のプラテン２０が、記録媒体２に遮蔽されて初めて記録媒体両端の吸引室が負圧になるので、記録媒体２の記録媒体幅が異なっても常に同一の圧力で記録媒体を吸引することができる。
【００６３】
次に、図１５及び図１６を参照して本発明の第５の実施形態について詳細に説明する。  
図１５は、プラテン部１６の内部仕切りの構成図である。  
図１６は、記録媒体が搬送する際のプラテン部１６の概略側面図である。  
また、本実施形態の構成部位について、プラテン部１６以外の構成は、第１の実施形態と同等且つ前述した第１の実施形態と同等の部位には同じ参照符号を付してその詳細な説明は省略する。プラテン部１６以外の動作は、第１の実施形態と同等なので省略する。またプラテン２０におけるプラテンの孔１９の構成は第４の実施形態と同様である。  
図１５を使用してプラテン部１６の内部仕切りを説明する。プラテン部１６は、記録媒体２の搬送方向に従い、プラテン部室５９、６０及び６１に分割されている。プラテン部室５９は、更に記録媒体幅方向に中央と両端の吸引室に分かれており、中央と両端の吸引室の境には、エアーダンパ６２が設けられている。エアーダンパ６２は、中央の吸引室の負圧がある一定以上に大きくなると開放され、両端の吸引室からエアーが流れ込むように設定されている。その他のプラテン部室６０及び６１も同様に構成されている。プラテン部室５９、６０及び６１には、それぞれプラテンファン５８が２基、０基、１基設けられている。プラテン部室５９に設けられた２つのプラテンファン５８はＺ軸方向に直列に並んでいる。プラテン部室５９とプラテン部室６０及びプラテン部室６０及びプラテン部室６１の仕切りにはプラテンダンパー６５、プラテンダンパー６６が設けられている。プラテン部室５９及びプラテン部室６１の負圧が一定以上大きくなるとそれぞれのエアーダンパ５９，６１は開放され、プラテン部室６０よりエアーが流入する様に設定されている。又、各々のダンパーには、プラテンダンパセンサー６７が取り付けられている。
【００６４】
次に本実施形態での記録媒体２のプラテン２０上での搬送・吸引方法に関して図１６を参照して詳細に説明する。図１６（a）は、記録媒体先端部分がプラテン２０に搬送された直後の状態を示す。ここでは、プラテン部室５９に設けられたプラテンファン５８によって記録媒体２の先端が確実に吸着される。
【００６５】
図１６（ｂ）では、プラテン部室５９がほぼ記録媒体２によって遮蔽され、余剰となった風量は、エアーダンパ６５を経由してプラテン部室６０を負圧にすることに利用される。又、プラテンダンパセンサー６７がエアーダンパ６５及び６６に設けられており、第４の実施形態と同様に記録媒体２の搬送状態を検知することができる。  
記録媒体２は、図１６（ｃ）から図１６（ｄ）に至るとプラテン部室６１のプラテンを遮蔽し、エアーダンパ６６を開放し、エアーダンパ６６を経由してプラテン部室６０を負圧にすることに利用される。
【００６６】
更に図１６（e）に示すように排紙直前には、エアーダンパ６６が閉じられ、プラテン部室６１を介して確実に負圧にすることができる。  
記録媒体２のプラテン２０への吸着のための風量は、記録媒体２が吸着していない時に最も必要であり、一度プラテン２０に吸着さえすれば、記録媒体２のプラテン２０への遮蔽によってプラテン部１６へのエアーの流入が少なくなる。そのため大きな風量を用いる必要がなくて済む。
【００６７】
よって本実施形態は、図１６に示すように記録媒体２の突入部を他の吸引室と仕切り、ファンを多くして風量及び風圧を大きくすることで一度に吸着させ、装置内のファンの増加をおさえている。  
さらに、記録媒体２がプラテン部１６に吸着した後に余剰となったファンの風量を別の吸引室に使用することによってファンの数量の軽減を図ると共に、プラテン部１６内で仕切られた各吸引室の負圧が異常に大きくなることを防止することができる。
【図面の簡単な説明】
【００６８】
【図１】本発明に係る第１の実施形態における画像記録装置の内部構成を示す概略的な側面図である。
【図２】図１における画像記録装置１において記録媒体がプラテンを遮蔽した際に中間エアーダンパが開口している状態を示す図である。
【図３】プラテン部を記録媒体搬送方向上部から見た際のベルトとプラテンの関係を示す概略図である。
【図４】吸湿した状態の記録媒体がプラテン部に吸着・搬送された状態を示す図である。
【図５】プラスカールした状態の記録媒体がプラテン部に吸着・搬送された状態を示す図である。
【図６】吸引室を複数に区切り、各部屋ごとにプラテンファンを設ける構成を示す図である。
【図７】本発明に係る第２の実施形態におけるプラテン部を記録媒体搬送方向上部から見た際のベルトとプラテンの関係を示す概略図である。
【図８】本発明に係る第３の実施形態におけるプラテン部を記録媒体搬送方向上部から見た際のベルトとプラテンの関係を示す概略図である。
【図９】第３の実施形態におけるプラテン部の内部構成を示す図である。
【図１０】本発明に係る第４の実施形態におけるプラテン部を記録媒体搬送方向上部から見た際のベルトとプラテンの関係を示す概略図である。
【図１１】第４の実施形態におけるプラテン部の内部構成を示す図である。
【図１２】第４の実施形態における吸湿した状態の記録媒体がプラテン部に吸着・搬送された状態を示す図である。
【図１３】第４の実施形態におけるプラスカールした状態の記録媒体がプラテン部に吸着・搬送された状態を示す図である。
【図１４】第４の実施形態における変形例を示す図である。
【図１５】本発明に係る第５の実施形態におけるプラテン部の内部構成を示す図である。
【図１６】第４の実施形態における記録媒体を搬送する際のプラテン部の概略側面図である。
【図１７】従来のエアー吸引を用いた際の構成例を示す図である。
【図１８】従来のエアー吸引を用いた際の構成例を示す図である。
【図１９】波打ちした状態の記録媒体に従来のエアー吸引を用いた際の搬送機構を示す図である。
【図２０】プラスカールした状態の記録媒体に従来のエアー吸引を用いた際の搬送機構を示す図である。
【符号の説明】
【００６９】
１：画像記録装置、２：記録媒体、３：記録装置本体、４：装置カバー部、５：給紙部、６：搬送部（ベルトプラテン）、７：画像記録部、１４：プラテンローラ、１５：ベルト、１６：プラテン部、１８：バックアップローラ、１９：プラテンの孔、２０：プラテン、２１：プラテンファン、２２：プラテン部圧力センサー、２３：中間エアーダンパ２４：画像記録部圧力センサー、２５：ベルトの孔、２６：インクジェットヘッド、２７：カバー部、３４：エアー流制御部、３５：ファンコントローラ、３６：ダンパコントローラ、３７：バイパス、４１，４５，５０，５８：プラテンファン、４２，４３，４４，４６，４７，４８，４９，５１，５２，５３，５９，６０，６１：プラテン部室、５４，５５，５６，６２，６３，６４，６５，６６：エアーダンパ。
【図１】
2007076175.tif 000003
【図２】
2007076175.tif 000004
【図３】
2007076175.tif 000005
【図４】
2007076175.tif 000006
【図５】
2007076175.tif 000007
【図６】
2007076175.tif 000008
【図７】
2007076175.tif 000009
【図８】
2007076175.tif 000010
【図９】
2007076175.tif 000011
【図１０】
2007076175.tif 000012
【図１１】
2007076175.tif 000013
【図１２】
2007076175.tif 000014
【図１３】
2007076175.tif 000015
【図１４】
2007076175.tif 000016
【図１５】
2007076175.tif 000017
【図１６】
2007076175.tif 000018
【図１７】
2007076175.tif 000019
【図１８】
2007076175.tif 000020
【図１９】
2007076175.tif 000021
【図２０】
2007076175.tif 000022